(57)【要約】【課題】  本発明は植物の葉や花の形状通りに画用紙、布やカンバス等に植物の色素を転写状態で染め絵を作成することができ、誰でもが楽な作業で、容易にでき、カルチャー教室の教科にもできる植物の染め絵の作成方法を得るにある。【解決手段】  植物の染め絵を描くことができる、画用紙、布、カンバス等の染め絵される物の染め絵を描く部位の表面にメッシュシートを配置するメッシュシート配置工程と、このメッシュシート配置工程後にメッシュシートの上面に染め絵を描く植物の葉や花を配置する植物の配置工程と、この植物の配置工程後に植物の上面を吸水性を有する薄い吸水シートで覆う吸水シート配置工程と、この吸水シート配置工程後に吸水シートの上面を透明樹脂シートで覆うカバー工程と、このカバー工程後にヘラを用いて樹脂シートを押し圧し植物をメッシュシートに押し付け植物の色素を流出させて染め絵される物に付着させて染め絵を描く染め絵の描き工程とで植物の染め絵の作成方法を構成している。【選択図】  図１
2005022389.tif 000002
【特許請求の範囲】
【請求項１】
植物の染め絵を描くことができる画用紙、布、カンバス等の染め絵される物の染め絵を描く部位の表面にメッシュシートを配置するメッシュシート配置工程と、このメッシュシート配置工程後にメッシュシートの上面に染め絵を描く植物の葉や花を配置する植物の配置工程と、この植物の配置工程後に植物の上面を吸水性を有する薄い吸水シートで覆う吸水シート配置工程と、この吸水シート配置工程後に吸水シートの上面を透明あるいは半透明の樹脂シートで覆うカバー工程と、このカバー工程後にヘラを用いて前記樹脂シートを押し圧し、植物をメッシュシートに押し付け、該植物の色素を流出させて前記染め絵される物に付着させて染め絵を描く染め絵の描き工程と、この染め絵の描き工程後に染め絵される物の表面に位置するメッシュシート、植物、吸水シート、樹脂シートを除去する除去工程とを含むことを特徴とする植物の染め絵の作成方法。
【請求項２】
植物の染め絵を描くことができる画用紙、布、カンバス等の染め絵される物の染め絵を描く部位の表面にメッシュシートを配置するメッシュシート配置工程と、このメッシュシート配置工程後にメッシュシートの上面に染め絵を描く植物の葉や花を配置する植物の配置工程と、この植物の配置工程後に植物の上面を吸水性を有する薄い吸水シートで覆う吸水シート配置工程と、この吸水シート配置工程後に吸水シートの上面を透明あるいは半透明の樹脂シートで覆うカバー工程と、このカバー工程後にヘラを用いて前記樹脂シートを押し圧し、植物をメッシュシートに押し付け、該植物の色素を流出させて前記染め絵される物に付着させて染め絵を描く染め絵の描き工程と、この染め絵の描き工程後に染め絵される物の表面に位置するメッシュシート、植物、吸水シート、樹脂シートを除去する除去工程と、この除去工程後に染め絵される物の表面に描かれた染め絵に筆を用いて酸性液あるいはアルカリ性液を塗布して発色させる発色工程とを含むことを特徴とする植物の染め絵の作成方法。
【請求項３】
植物の染め絵を描くことができる画用紙、布、カンバス等の染め絵される物の染め絵を描く部位の表面にメッシュシートを配置するメッシュシート配置工程と、このメッシュシート配置工程後にメッシュシートの上面に染め絵を描く植物の葉や花を配置する植物の配置工程と、この植物の配置工程後に植物の上面を吸水性を有する薄い吸水シートで覆う吸水シート配置工程と、この吸水シート配置工程後に吸水シートの上面を透明あるいは半透明の樹脂シートで覆うカバー工程と、このカバー工程後にヘラを用いて前記樹脂シートを押し圧し、植物をメッシュシートに押し付け、該植物の色素を流出させて前記染め絵される物に付着させて染め絵を描く染め絵の描き工程と、この染め絵の描き工程後に染め絵される物の表面に位置するメッシュシート、植物、吸水シート、樹脂シートを除去する除去工程と、この除去工程後に染め絵される物の表面に描かれた染め絵の色素の定着を図れるように定着液を塗布する定着液塗布工程とを含むことを特徴とする植物の染め絵の作成方法。
【請求項４】
植物の染め絵を描くことができる画用紙、布、カンバス等の染め絵される物の染め絵を描く部位の表面にメッシュシートを配置するメッシュシート配置工程と、このメッシュシート配置工程後にメッシュシートの上面に染め絵を描く植物の葉や花を配置する植物の配置工程と、この植物の配置工程後に植物の上面を吸水性を有する薄い吸水シートで覆う吸水シート配置工程と、この吸水シート配置工程後に吸水シートの上面を透明あるいは半透明の樹脂シートで覆うカバー工程と、このカバー工程後にヘラを用いて前記樹脂シートを押し圧し、植物をメッシュシートに押し付け、該植物の色素を流出させて前記染め絵される物に付着させて染め絵を描く染め絵の描き工程と、この染め絵の描き工程後に染め絵される物の表面に位置するメッシュシート、植物、吸水シート、樹脂シートを除去する除去工程と、この除去工程後に染め絵される物の表面に描かれた染め絵に筆を用いて酸性液あるいはアルカリ性液を塗布して発色させる発色工程と、この発色工程後に染め絵される物の表面に描かれた染め絵の色素の定着を図れるように定着液を塗布する定着液塗布工程とを含むことを特徴とする植物の染め絵の作成方法。
【請求項５】
植物の染め絵を描くことができる画用紙、布、カンバス等の染め絵される物の染め絵を描く部位の表面にメッシュシートを配置するメッシュシート配置工程と、固定シートの上面に染め絵を描く植物の葉や花を接着剤や粘着材によって固定的に配置する植物の配置工程と、この植物の配置工程後に固定シートに固定的に配置された植物が前記メッシュシート配置工程で配置されたメッシュシートの上面に位置させる固定シート配置工程と、この固定シート配置工程後に固定シートの上面を透明あるいは半透明の樹脂シートで覆うカバー工程と、このカバー工程後にヘラを用いて前記樹脂シートを押し圧し、植物をメッシュシートに押し付け、該植物の色素を流出させて前記染め絵される物に付着させて染め絵を描く染め絵の描き工程と、この染め絵の描き工程後に染め絵される物の表面に位置するメッシュシート、植物、固定シート、樹脂シートを除去する除去工程とを含むことを特徴とする植物の染め絵の作成方法。
【請求項６】
染め絵される物の染め絵を描く部位の表面は植物の色素が容易に吸着されるようにアルコール、水、酸性液等あるいはこれらの混合物が吹き付けられていることを特徴とする請求項１、２、３、４、５のいずれかに記載の植物の染め絵の作成方法。
【請求項７】
染め絵される物の染め絵を描く部位は植物の色素の変色を防止するペーハー処理液あるいは酸化防止剤が含浸、塗布あるいはスプレーされていることを特徴とする請求項１、２、３、４、５のいずれかに記載の植物の染め絵の作成方法。
【請求項８】
メッシュシートの上面に配置される植物の葉や花は、メッシュシートと当接する面をあらかじめサンドペーパーの上面に押し圧して無数の傷を付着させたものを使用することを特徴とする請求項１、２、３、４、５のいずれかに記載の植物の染め絵の作成方法。
【発明の詳細な説明】
【技術分野】
【０００１】
本発明は植物の葉や花の色素を画用紙やカンバス等に転写状態で付着させる植物の染め絵の作成方法に関する。
【背景技術】
【０００２】
従来、綿や麻等の布地に植物の葉や花を位置させ金槌で植物の葉や花をたたいて、該植物の葉や花の色素を布地に付着させる染め絵が行なわれている。
【０００３】
従来の植物の染め絵は植物の葉や花を金槌でたたいて綿や麻等の布地に植物の葉や花の色素をうつすため、布地に葉や花の形状通りにうつすことが難しく、きれいな染め絵を作成しずらいという欠点があった。
また、表面に凹凸のある綿や麻等の布地にしか染め絵を施すことができないという欠点があった。
【特許文献１】特開平８−６０５６５号公報
【発明の開示】
【発明が解決しようとする課題】
【０００４】
本発明は以上のような従来の欠点に鑑み、植物の葉や花の形状通りに画用紙、布やカンバス等に植物の色素を転写状態で染め絵を作成することができるとともに、誰でもが楽な作業で、容易にでき、カルチャー教室の教科にもできる植物の染め絵の作成方法を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は植物の染め絵を描くことができる、画用紙、布、カンバス等の染め絵される物の染め絵を描く部位の表面にメッシュシートを配置するメッシュシート配置工程と、このメッシュシート配置工程後にメッシュシートの上面に染め絵を描く植物の葉や花を配置する植物の配置工程と、この植物の配置工程後に植物の上面を吸水性を有する薄い吸水シートで覆う吸水シート配置工程と、この吸水シート配置工程後に吸水シートの上面を透明あるいは半透明の樹脂シートで覆うカバー工程と、このカバー工程後にヘラを用いて前記樹脂シートを押し圧し、植物をメッシュシートに押し付け、該植物の色素を流出させて前記染め絵される物に付着させて染め絵を描く染め絵の描き工程と、この染め絵の描き工程後に染め絵される物の表面に位置するメッシュシート、植物、吸水シート、樹脂シートを除去する除去工程とで植物の染め絵の作成方法を構成している。
【発明の効果】
【０００７】
以上の説明から明らかなように、本発明にあっては次に列挙する効果が得られる。
【０００８】
（１）植物の染め絵を描くことができる画用紙、布、カンバス等の染め絵される物の染め絵を描く部位の表面にメッシュシートを配置するメッシュシート配置工程と、このメッシュシート配置工程後にメッシュシートの上面に染め絵を描く植物の葉や花を配置する植物の配置工程と、この植物の配置工程後に植物の上面を吸水性を有する薄い吸水シートで覆う吸水シート配置工程と、この吸水シート配置工程後に吸水シートの上面を透明あるいは半透明の樹脂シートで覆うカバー工程と、このカバー工程後にヘラを用いて前記樹脂シートを押し圧し、植物をメッシュシートに押し付け、該植物の色素を流出させて前記染め絵される物に付着させて染め絵を描く染め絵の描き工程と、この染め絵の描き工程後に染め絵される物の表面に位置するメッシュシート、植物、吸水シート、樹脂シートを除去する除去工程とからなるので、ヘラで植物の葉や花をメッシュシートに押し圧して、植物の葉や花に傷を付け、色素を流出させることができる。
したがって、効率よく植物の葉や花の色素を流出させて、染め絵される物に付着させることができる。
【０００９】
（２）前記（１）によって、植物の葉や花の上部を吸水シートと樹脂シートで覆ってヘラで押し圧するので、ヘラでの押し圧時に樹脂シートが移動しないように行なうことにより、植物の葉や花の移動を効率よく阻止でき、転写状態で植物の葉や花の形状そのままに色素を染め絵される物に付着させることができる。
【００１０】
（３）前記（１）によって、メッシュシートによって植物の葉や花がヘラでの押し圧によって分離しても、メッシュシートを外す時にメッシュシートに付着した状態で除去できる。
したがって、染め絵される物に付着するのを効率よく阻止でき、よりきれいな染め絵を作成することができる。
【００１１】
（４）前記（１）によって、吸水シートを用いるので、植物の葉や花から必要以上に出る色素を吸収して、染め絵がぼけるのを効率よく阻止することができるとともに、吸水シートに吸水されることにより、植物の葉や花の輪郭が判断でき、ヘラの押し圧操作を調整することができ、きれいな染め絵を作成することができる。
【００１２】
（５）請求項２、３、４、５、６、７、８も前記（１）〜（４）と同様な効果が得られるとともに、請求項２は染め絵を発色工程により、よりきれいに発色させることができ、請求項３は染め絵の色素の定着工程で、色素が時間の経過によって変色するのを効率よく阻止することができる。
【発明を実施するための最良の形態】
【００１３】
以下、図面に示す発明を実施するための最良の形態により、本発明を詳細に説明する。
【００１４】
図１ないし図９に示す本発明を実施するための最良の第１の形態において、１は植物の染め絵を描くことができる画用紙、布やカンバス等の染め絵される物２の、染め絵を描く部位の表面にメッシュシート３を配置するメッシュシートの配置工程で、このメッシュシートの配置工程１で使用される染め絵される物２は、吸水性を有するものであればそのまま使用し、吸水性が十分でない場合にはアルコール、水、酸性液あるいはこれらの混合物を吹き付け、吸水性を有するようにして使用する。
また、メッシュシート３は０．数ｍｍ〜数ｍｍ程度の大きさのメッシュで、該メッシュシート３の材質はどんな材質の糸を用いてもよいが、なるべく樹脂系を用いたものを使用することにより、洗うことにより容易に再使用ができる。
【００１５】
４は前記メッシュシート配置工程１後に、図３に示すようにメッシュシート３の上面に染め絵を描く植物の葉５や花６を配置する植物の配置工程で、この植物の配置工程４で前記メッシュシート３の上面に配置される植物の葉５や花６は、裏面がメッシュシート３に当接するように配置することにより、表面をメッシュシート３に当接するように配置するものと比べ、効率よく葉５や花６の色素を葉や花から流出させることができる。
なお、染め絵を描く植物の葉５や花６は生花を使用することは勿論であるが、熱湯に付けたものや、押し花やドライフラワーをお湯、水やアルコール等で復元したものを使用しても良い。
【００１６】
７は前記植物の配置工程４後に、図４に示すように植物の上面を吸水性を有する薄い吸水シート８で覆う吸水シート配置工程で、この吸水シート配置工程７で使用される吸水シート８は、ティシュペーパーやトイレットペーパー等が使用される。
【００１７】
９は前記吸水シート配置工程７後に、図５に示すように吸水シート８の上面に透明あるいは半透明の樹脂シート１０で覆うカバー工程で、このカバー工程９では吸水シート８の上面を覆うシート状の樹脂シート１０、下部が前記染め絵される物２の下部に挿入され、上部が吸水シート８の上面を覆う２つ折りされた樹脂シート１０Ａあるいはクリアーファイルを用いた樹脂シート１０Ｂのいずれかが使用される。
【００１８】
１１は前記カバー工程９後に、図６に示すようにヘラ１２を用いて前記樹脂シート１０Ａを押し圧し、植物の葉５や花６をメッシュシート３に押し付け、該植物の色素を流出させて前記染め絵される物２に付着させるとともに、植物の葉５や花６から流出する色素が多い場合には吸水シート８が吸水して、染め絵１３を染め絵される物２に描く染め絵の描き工程で、この染め絵の描き工程１１ではヘラ１２を用いて植物の葉５や花６が配置された上部の樹脂シート１０Ａをスライド移動するように押し圧したり、たたいたりして、植物の葉５や花６をメッシュシート３に押し圧して傷を付け、葉５や花６の色素を流出させる。
なお、前記樹脂シート１０Ａを押し圧するヘラ１２はしゃもじ状のものは勿論、先端部にローラーが取り付けられたものや、ビー球、半球体等の球面を用いたもの等、樹脂シート１０Ａの下部に位置する植物の葉５や花６をメッシュシート３に押し付け、該植物の色素を流出させることができるように押し圧できるものであればどんな形状のものであっても良い。
【００１９】
１４は前記染め絵の描き工程１１後に、図７に示すように染め絵される物２の表面に位置するメッシュシート３、植物の葉５や花６、吸水シート８、樹脂シート１０Ａを除去する除去工程である。
【００２０】
１５は前記除去工程１４後に、図８に示すように前述と同様にメッシュシートの配置工程１、植物の配置工程４、吸水シート配置工程７、カバー工程９、染め絵の描き工程１１および除去工程１４を必要に応じて行なった後、染め絵１３部分の色素の定着を図る色素の定着工程で、この色素の定着工程１５は染め絵１３部分にミョウバン液や塩水等の色素の定着液１６を、筆１７を用いて塗布して行なう。
また、必要に応じては染め絵１３の上面にシリコン、アクリル等の樹脂やホットメルト樹脂のコーティングを行なってもよい。
【００２１】
上記の染め絵の作成方法で染め絵される物２に描かれた染め絵１３は、植物の葉５や花６の輪郭に該部位の色素が転写された状態の絵にできる。
また、植物の葉５や花６はメッシュシート３にヘラ１２で押し圧されることにより、メッシュシート３と当接する部分に傷が付き、効率よく色素を流出させて染め絵される物２に付着する。
さらに、ヘラ１２は樹脂シート１０Ａ上を押し圧しながらスライド移動させるため、植物の葉５や花６が移動することなく、かつ輪郭がこわれるように損傷することがなく、葉５や花６の輪郭形状そのままの状態で色素を染め絵される物２に付着でき、余分な色素１８は図９に示すように吸水シート８に吸着されるとともに、該吸水シート８に色素が付着することにより、葉５や花６の輪郭が確認でき、ヘラ１２の操作を調整しながら行なうことができる。
｛発明を実施するための異なる形態｝
【００２２】
次に、図１０ないし図２９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２３】
図１０ないし図１２に示す本発明を実施するための第２の形態において、前記本発明を実施するための最良の第１の形態と主に異なる点は、メッシュ状のサンドペーパーをメッシュシート３Ａとして使用したメッシュシート配置工程１Ａを行なった点で、このようなメッシュシート配置工程１Ａを用いることにより、植物の葉５や花６に効率よく傷を付けて色素を流出させることができる植物の染め絵の作成方法にできる。
【００２４】
図１３ないし図１５に示す本発明を実施するための第３の形態において、前記本発明を実施するための最良の第１の形態と主に異なる点は、色素の定着工程１５前に、染め絵される物２に描かれた染め絵１３に筆１９を用いて植物の葉や花が赤色、紫色系は乳酸、クエン酸、シコセキ酸等の酸性液２０を塗布し、黄色、緑色系は重曹、水酸化ナトリウム等のアメカリ液２１を塗布して発色させる発色工程２２を行なった点で、このような発色工程２２を用いても、前記本発明を実施するための最良の第１の形態と同様な作用効果が得られるとともに、染め絵１３Ａをよりカラフルに加工することができる。
【００２５】
図１６ないし図１８に示す本発明を実施するための第４の形態において、前記本発明を実施するための最良の第１の形態と主に異なる点は、メッシュシート配置工程１後に植物の葉５や花６の表面あるいは裏面をサンドペーパー２３に押し圧して色素が出やすくなるように無数の傷を付ける植物の傷付け工程２４を行なった後、メッシュシート３の上面に無数の傷が付けられた葉５Ａや花６Ａを配置する植物の配置工程４Ａを行なった点で、このような植物の傷付け工程２４を用いた植物の染め絵の作成方法を行なっても、前記本発明を実施するための最良の第１の形態と同様な作用効果が得られるとともに、水分の少ない植物の葉や花でも効率よく染め絵される物２に植物の葉や花の色素を転写状態でうつすことができる。
【００２６】
図１９ないし図２２に示す本発明を実施するための第５の形態において、前記本発明を実施するための最良の第１の形態と主に異なる点は、色素の定着工程１５後に外側面に軟質樹脂シートが貼付されたアルミ箔２５や、アルミ箔２５とガラス板２６との間に乾燥剤２７や脱酸素剤２８を介して染め絵された物２Ａを介装し、アルミ箔２５とガラス板２６との外周部を接着剤や粘着剤２９で密封状態に固定する封入工程３０を行ない、額縁３１に収納して展示できるようにした点で、このような封入工程３０を用いた植物の染め絵の作成方法を行なってもよい。
【００２７】
図２３および図２４に示す本発明を実施するための第６の形態において、前記本発明を実施するための最良の第１の形態と主に異なる点は、メッシュシートの配置工程１前に染め絵される物２が酸性あるいはアルカリ性の場合にはアルカリ溶液あるいは２．５〜３．５の酸性溶液のペーハー処理液３２を塗布あるいはスプレーで吹き付けて中性に処理する染め絵される物の中性処理工程３３を行つた点で、このような染め絵される物の中性処理工程３３を行つて植物の染め絵の作成方法を行なってもよい。
【００２８】
図２５および図２６に示す本発明を実施するための第７の形態において、前記本発明を実施するための第６の形態と主に異なる点は、メッシュシートの配置工程１前に染め絵される物２に酸化防止剤３４を塗布あるいはスプレーで吹き付けて染め絵の酸化を防止できるようにする酸化防止処理工程３５を行つた点で、このような酸化防止処理工程３５を行つて植物の染め絵の作成方法を行なってもよい。
【００２９】
なお、前記本発明を実施するための形態では色素の定着工程１５や発色工程２２を用いるものについて説明したが、本発明はこれに限らず、色素の定着工程１５を使用することなく、発色工程２２だけを用いたり、色素の定着工程１５および発色工程２２を用いない植物の染め絵の作成方法を行なってもよい。
【００３０】
図２７ないし図２９に示す本発明を実施するための第８の形態において、前記本発明を実施するための最良の第１の形態と主に異なる点は吸水性がないあるいは吸水性を有する固定シート８Ａの上面に染め絵を描く植物の葉５や花６を接着剤や粘着材３６によって固定的に配置する植物の配置工程４Ｂと、この植物の配置工程４Ｂ後に固定シート８Ａに固定的に配置された植物の葉５や花６が前記メッシュシート配置工程１で配置されたメッシュシート３の上面に位置させる固定シート配置工程７Ａを行った点で、このような植物の配置工程４Ｂや固定シート配置工程７Ａを行つて植物の染め絵の作成方法を行なっても前記本発明を実施するための最良の第１の形態と同様な作用効果が得られるとともに、小さな植物の葉５や花６が移動することなく、あらかじめ固定シート８に配置された状態で染め絵の作業を行うことができる。
【産業上の利用可能性】
【００３１】
本発明は植物の葉や花の色素を画用紙やカンバス等に転写状態で付着させる植物の染め絵を教授する教育産業や植物の葉や花の色素を転写する画用紙やカンバス等の製造産業に利用される。
【図面の簡単な説明】
【００３２】
【図１】本発明を実施するための最良の第１の形態の工程図。
【図２】本発明を実施するための最良の第１の形態のメッシュシートの配置工程の説明図。
【図３】本発明を実施するための最良の第１の形態の植物の配置工程の説明図。
【図４】本発明を実施するための最良の第１の形態の吸水シート配置工程の説明図。
【図５】本発明を実施するための最良の第１の形態のカバー工程の説明図。
【図６】本発明を実施するための最良の第１の形態の染め絵の描き工程の説明図。
【図７】本発明を実施するための最良の第１の形態の除去工程の説明図。
【図８】本発明を実施するための最良の第１の形態の色素の定着工程の説明図。
【図９】本発明を実施するための最良の第１の形態の余分な色素が吸水シートに吸着された状態の説明図。
【図１０】本発明を実施するための第２の形態の工程図。
【図１１】本発明を実施するための第２の形態のメッシュシートの説明図。
【図１２】本発明を実施するための第２の形態の染め絵の描き工程の説明図。
【図１３】本発明を実施するための第３の形態の工程図。
【図１４】本発明を実施するための第３の形態の染め絵の描き工程の説明図。
【図１５】本発明を実施するための第３の形態の発色工程の説明図。
【図１６】本発明を実施するための第４の形態の工程図。
【図１７】本発明を実施するための第４の形態の植物の傷付け工程の説明図。
【図１８】本発明を実施するための第４の形態の植物の配置工程の説明図。
【図１９】本発明を実施するための第５の形態の工程図。
【図２０】本発明を実施するための第５の形態の封入工程の説明図。
【図２１】本発明を実施するための第５の形態の額縁に収納した正面図。
【図２２】図２１の２２−２２線に沿う断面図。
【図２３】本発明を実施するための第６の形態の工程図。
【図２４】本発明を実施するための第６の形態の染め絵される物の中性処理工程の説明図。
【図２５】本発明を実施するための第７の形態の工程図。
【図２６】本発明を実施するための第７の形態の酸化防止処理工程の説明図。
【図２７】本発明を実施するための第８の形態の工程図。
【図２８】本発明を実施するための第８の形態の植物の配置工程の説明図。
【図２９】本発明を実施するための第８の形態の固定シート配置工程の説明図。
【符号の説明】
【００３３】
１、１Ａ：メッシュシートの配置工程、
２：染め絵される物、      ３、３Ａ：メッシュシート、
４、４Ａ、４Ｂ：植物の配置工程、
５、５Ａ：葉、            ６、６Ａ：花、
７：吸水シート配置工程、  ７Ａ：固定シート配置工程、
８、８Ａ：吸水シート、    ９：カバー工程、
１０、１０Ａ、１０Ｂ：樹脂シート、
１１：染め絵の描き工程、  １２：ヘラ、
１３、１３Ａ：染め絵、    １４：除去工程、
１５：色素の定着工程、    １６：色素の定着液、
１７：筆、               
１８：余分な色素、
１９：筆、               
２０：酸性液、
２１：アルカリ液、        ２２：発色工程、
２３：サンドペーパー、    ２４：植物の傷付け工程、
２５：アルミ箔、          ２６：ガラス板、
２７：乾燥剤、            ２８：脱酸素剤、
２９：接着剤や粘着剤、    ３０：封入工程、
３１：額縁、             
３２：ペーハー処理液、
３３：染め絵される物の中性処理工程、
３４：酸化防止剤、        ３５：酸化防止処理工程、
３６：接着剤や粘着材。
【図１】
2005022389.tif 000003
【図２】
2005022389.tif 000004
【図３】
2005022389.tif 000005
【図４】
2005022389.tif 000006
【図５】
2005022389.tif 000007
【図６】
2005022389.tif 000008
【図７】
2005022389.tif 000009
【図８】
2005022389.tif 000010
【図９】
2005022389.tif 000011
【図１０】
2005022389.tif 000012
【図１１】
2005022389.tif 000013
【図１２】
2005022389.tif 000014
【図１３】
2005022389.tif 000015
【図１４】
2005022389.tif 000016
【図１５】
2005022389.tif 000017
【図１６】
2005022389.tif 000018
【図１７】
2005022389.tif 000019
【図１８】
2005022389.tif 000020
【図１９】
2005022389.tif 000021
【図２０】
2005022389.tif 000022
【図２１】
2005022389.tif 000023
【図２２】
2005022389.tif 000024
【図２３】
2005022389.tif 000025
【図２４】
2005022389.tif 000026
【図２５】
2005022389.tif 000027
【図２６】
2005022389.tif 000028
【図２７】
2005022389.tif 000029
【図２８】
2005022389.tif 000030
【図２９】
2005022389.tif 000031